(57)【要約】【課題】受信局に特別な検出手段や報知手段を具備することなく、全ての受信局においてユーザが常に正確なシステムの状態を認識することのできるデータ伝送システムを提供する。【解決手段】送信局１が受信局３から一時停止などの指示を受信すると、操作コマンド受信処理部１８がこの受信を送信局１での事象の発生として検出することにより、システムに所定状態が発生したことを検出する。操作コマンド受信処理部１８は所定状態の発生を報知情報生成部２０に通知し、報知情報生成部２０は受信局３に所定状態が発生したことを報知するための報知情報を生成する。重畳部１６は、所定状態に対応する映像源２の映像データに報知情報を合成し、送信部１０がこの合成内容を送信する。受信局３は受信した映像データと報知情報とを表示する。【選択図】　図１
2004080729.tif 000002
【特許請求の範囲】
【請求項１】
データ源からの視聴用のデータを通信路を介して受信局に送信する送信局であって、
データ伝送に関する指示操作を行うことを含めて上記受信局によって行われる通信接続動作に応じて所定状態が発生したことを、対応する事象の発生として検出する状態検出手段と、
上記状態検出手段によって検出された上記所定状態の発生を、上記受信局が上記データを視聴することができるように出力するときに、上記通信路における通信状態の良否を判別することができる状態で上記データとともにユーザに報知することができるように、上記所定状態が発生したことを示す報知情報を上記受信局に送信する送信手段とを備えていることを特徴とする送信局。
【請求項２】
上記報知情報を上記データに合成する合成手段を更に備え、上記送信手段は、上記合成手段によって合成された合成内容を上記受信局に送信することを特徴とする請求項１に記載の送信局。
【請求項３】
上記状態検出手段は、
上記データ源との通信路のリソースを確保できたか否かを検出し、
上記リソースを確保できなかったことを検出した場合にその旨を示す報知情報を上記送信手段を介して上記受信局に送信すると共に、
上記リソースを確保できたことを検出した場合に上記データ源にコネクション確立を要求することを特徴とする請求項１に記載の送信局。
【請求項４】
上記状態検出手段は、上記データ源にコネクション確立を要求した場合、上記データ源からコネクション確立完了の通知を受信したか否かを検出し、上記通知を受信した場合にはコネクション確立を完了すると共に、上記通知を受信できなかった場合にはコネクション確立に失敗した旨の報知情報を上記送信手段を介して上記受信局に送信することを特徴とする請求項３に記載の送信局。
【請求項５】
視聴用のデータを通信路及び送信局を介して受信局に送信するデータ源であって、
上記通信路及び上記送信局を介して上記受信局から受信したデータ伝送に関する指示操作のコマンド情報に基づいて、上記受信局が上記データ源への制御権を有しているか否かを判断し、制御権を有している場合には上記コマンドに応じて上記データを上記通信路及び上記送信局を介して上記受信局に送信すると共に、上記制御権を有していない場合には上記データ源への制御権を有していない旨を示す報知情報を上記通信路及び上記送信局を介して上記受信局に送信する状態検出手段を備えたデータ源。
【請求項６】
上記報知情報は、上記送信局との間で確保された通信リソースを介して上記受信局に送信されることを特徴とする請求項５に記載のデータ源。
【請求項７】
上記報知情報は、報知すべき情報を送信する理由を文字、絵、音声、動画などユーザが認識できる形態を有していることを特徴とする請求項１〜４のいずれか１項に記載の送信局。
【請求項８】
上記報知情報は、報知すべき情報を送信する理由を文字、絵、音声、動画などユーザが認識できる形態を有していることを特徴とする請求項５又は６に記載のデータ源。
【請求項９】
データ源からの視聴用のデータを通信路及び送信局を介して受信局に送信するデータ伝送方法であって、
データ伝送に関する指示操作を行うことを含めて上記受信局によって行われる通信接続動作に応じて所定状態が発生したことを、対応する事象の発生として検出する工程と、
検出した上記所定状態の発生を、上記受信局が上記データを視聴することができるように出力するときに、上記通信路における通信状態の良否を判別することができる状態で上記データとともにユーザに報知することができるように、上記所定状態が発生したことを示す報知情報を上記送信局から上記受信局に送信する工程と備えたデータ伝送方法。
【請求項１０】
上記報知情報を上記データに合成する工程を更に備え、合成した内容を上記受信局に送信することを特徴とする請求項９に記載のデータ伝送方法。
【請求項１１】
上記データ源との通信路のリソースを確保できたか否かを検出し、
上記リソースを確保できなかったことを検出した場合にその旨を示す報知情報を上記送信手段を介して上記受信局に送信すると共に、
上記リソースを確保できたことを検出した場合に上記データ源にコネクション確立を要求する工程を更に備えたことを特徴とする請求項９に記載のデータ伝送方法。
【請求項１２】
上記データ源にコネクション確立を要求した場合、上記データ源からコネクション確立完了の通知を上記送信局が受信したか否かを検出し、上記通知を受信した場合にはコネクション確立を完了すると共に、上記通知を受信できなかった場合にはコネクション確立に失敗した旨の報知情報を上記受信局に送信する工程を備えたことを特徴とする請求項１１に記載のデータ伝送方法。
【請求項１３】
視聴用のデータを通信路及び送信局を介して受信局に送信するデータ伝送方法であって、
上記通信路及び上記送信局を介して上記受信局から受信したデータ伝送に関する指示操作のコマンド情報に基づいて、上記受信局が上記データ源への制御権を有しているか否かを判断し、制御権を有している場合には上記コマンドに応じて上記データを上記通信路及び上記送信局を介して上記受信局に送信すると共に、上記制御権を有していない場合には上記データ源への制御権を有していない旨を示す報知情報を上記通信路及び上記送信局を介して上記受信局に送信する工程を備えたデータ伝送方法。
【請求項１４】
視聴用のデータを送信する送信局と、上記送信局から送信されて通信路を介して受信した上記データを視聴することができるように出力する受信局とを備え、上記受信局は、上記送信局に対してデータ伝送に関する指示操作を行うことを含めて上記送信局への通信接続動作が可能なデータ伝送システムにおいて、
上記送信局は、
所定の上記通信接続動作に応じてシステムに所定状態が発生したことを、上記送信局での対応する事象の発生として検出する状態検出手段と、
上記状態検出手段によって検出された上記所定状態の発生を、上記受信局による上記データの出力時に、上記通信路における通信状態の良否を判別することができる状態で上記データとともにユーザに報知することができるように、上記所定状態が発生したことを示す報知情報を上記データに合成する合成手段と、
上記合成手段によって生成された合成内容を上記受信局に送信する送信手段とを備えていることを特徴とするデータ伝送システム。
【請求項１５】
上記状態検出手段は、上記受信局において行われた所定の上記指示操作の内容を上記送信局が受信したことを上記事象の発生として、上記所定状態が発生したことを検出することを特徴とする請求項１４に記載のデータ伝送システム。
【請求項１６】
上記状態検出手段は、上記受信局において行われた所定の上記指示操作に応じたデータ源の機器の動作状態についての情報を、上記送信局が上記データ源から受け取って認識することを、上記事象の発生として、上記所定状態が発生したことを検出することを特徴とする請求項１４または１５に記載のデータ伝送システム。
【請求項１７】
上記状態検出手段は、上記受信局において行われた所定の上記指示操作に応じたデータ源のデータ状態を上記送信局が認識することを上記事象の発生として、上記所定状態が発生したことを検出することを特徴とする請求項１４ないし１６のいずれかに記載のデータ伝送システム。
【請求項１８】
上記通信路が無線通信路であることを特徴とする請求項１４ないし１７のいずれかに記載のデータ伝送システム。
【請求項１９】
上記報知情報に動画を用いることを特徴とする請求項１４ないし１８のいずれかに記載のデータ伝送システム。
【請求項２０】
上記報知情報に音声を用いることを特徴とする請求項１４ないし１９のいずれかに記載のデータ伝送システム。
【請求項２１】
上記報知情報に文字を用いることを特徴とする請求項１４ないし２０のいずれかに記載のデータ伝送システム。
【請求項２２】
１つの上記送信局と複数の上記受信局とを備えていることを特徴とする請求項１４ないし２１のいずれかに記載のデータ伝送システム。
【請求項２３】
上記合成手段による合成を行うか否かが設定可能であることを特徴とする請求項１４ないし２２のいずれかに記載のデータ伝送システム。
【請求項２４】
上記合成手段による合成を行うか否かについて、上記受信局から上記送信局に設定変更を要求することが可能であることを特徴とする請求項２３に記載のデータ伝送システム。
【請求項２５】
上記合成手段による合成を行うか否かについての上記受信局からの設定変更要求を、上記送信局において受け付けるかどうかが選択可能であることを特徴とする請求項２４に記載のデータ伝送システム。
【発明の詳細な説明】
【０００１】
【発明の属する技術分野】
本発明は、映像や音声などのデータが伝送可能な送信局、データ源、データ伝送方法、及びデータ伝送システムに関する。
【０００２】
【従来の技術】
現在、通信路を介して映像や音声などの視聴用のデータが伝送可能なデータ伝送システムが実現されている。これらのデータ伝送システムの中には、受信局において送信局が行うデータの送信の制御を行う機能を具備している端末がある。以下、データ伝送システムの中でも特に通信路に無線を用いて映像データを伝送する、無線映像伝送システムについて述べる。
【０００３】
上記のような無線映像伝送システムにおいては、送信映像の選択、再生、停止、一時停止、一時停止解除の制御を受信局側のユーザが遠隔操作することができる。たとえば、送信局から受信局へ映像データを伝送している最中にユーザが一時停止の操作を行うと、送信局は映像を一時停止し、受信局の映像表示部が静止画を表示する。
【０００４】
このような無線映像伝送システムにおいて、送信局から受信局までの通信路が無線であるが故に、妨害波や物体による電波遮断や通信距離の変化等により、通信路の品質が急激に劣化して正常な受信が出来なくなった場合などは、映像表示部の映像が停止状態のままとなることがある。このような場合、ユーザは通信路の品質劣化によって映像がストップしたのか、送信局が送信している現在の映像が静止画であるのかを区別することができない。
【０００５】
上記のような問題を解決する手段として、特開２００１−１０３４３７号公報（特許文献１）の方法がある。特開２００１−１０３４３７号公報は、図１０に示すような受信局によって現在の映像通信の状態を検出し、映像表示部に［動］、［一時停止］、［静］と表示したり、ＬＥＤを点灯させたりして、ユーザが常に映像通信の状態を把握できるとしている。特開２００１−１０３４３７号公報では送信局について詳細は述べられていないが、従来のこのようなデータ伝送システムの送信局は、映像データと、その映像データが動画であるのか、もしくは静止画であるのかということを示す通信モード情報とを送信する。
【０００６】
以下、図１０を用いて、通信状態に関する情報と通信モード情報とを判定することのできる従来の受信局１００について説明する。受信局１００は、アンテナ１０５、受信部１１０、送信部１１５、通信状態判定部１２０、通信モード判定部１２５、操作コマンド処理部１３０、映像表示部１３５、通信モード表示指示部１４０、および操作コマンド入力部１４５から構成されている。
【０００７】
受信局１００は、アンテナ１０５を介して送信局からの無線信号を受信し、受信部１１０によって該無線信号を復調し、映像データおよび通信モード情報を取り出し、合わせて通信状態に関する情報も得る。映像データは映像表示部１３５にて表示されるとともに、通信状態に関する情報と通信モード情報とがそれぞれ通信状態判定部１２０、通信モード判定部１２５に渡される。一方、操作コマンド入力部１４５からユーザによって操作コマンドが入力されると、操作コマンド処理部１３０によって検出された操作コマンド情報が、送信部１１５と通信モード判定部１２５とに渡される。送信部１１５には操作コマンド情報を変調し、これをアンテナ１０５を介して送信する。
【０００８】
通信モード判定部１２５は、受信された通信モード情報と、操作コマンド処理部１３０からの操作コマンド情報とから、現在の通信モードを判定し、通信モード表示指示部１４０に通知する。通信モード判定部１２５において通信モードを判定する方法としては、映像データの通信モード情報を検出する方法や、操作コマンド情報から入力された操作コマンドを検出して判定する方法がある。通信路の品質の劣化を判定する方法としては、通信状態判定部１２０において、受信電界強度（ＲＳＳＩ）やパケットエラー率など通信状態に関する情報から通信状態を判定する方法がある。通信モード表示指示部１４０は、通信状態判定部１２０と通信モード判定部１２５とによって判定された通信モード情報と通信状態情報とに基づき、映像表示部１３５に対して、現在の通信モードを表示する指示を行う。
【０００９】
従って、このようなデータ伝送システムでは、受信局側で動画通信モードであることが表示されているだけで静止画のような状態になっている場合には、システムの状態について、送信局側の機器の動作状態は動画を送信している状態であり、通信路の品質が劣化した通信状態にあるということがユーザに分かる。また、静止画通信モードであればそのことが表示されることから、動画通信モードを静止画通信モードと見誤ることがない。
【００１０】
また、異なるネットワーク間で映像や音声などの視聴用のデータを伝送するシステムもある。
【００１１】
このようなシステムの例として、図５に示すように、映像源２０６と送信局２０２が無線通信路２０５を介して接続され、送信局２０２と受信局２０１はＩＥＥＥ１３９４ケーブル２３０を介して接続されるデータ伝送システムが挙げられる。
【００１２】
なお、映像源２０６は視聴するためのデータを保持するＨＤＤ（ハードディスクドライブ）レコーダ２０４とＨＤＤレコーダ２０４からのデータを無線伝送する送受局２０３がＩＥＥＥ１３９４ケーブル２３２で接続されて構成される。
【００１３】
受信局２０１の映像表示部２１０にＨＤＤレコーダ２０４の映像記憶部２１６に保持されている映像データを表示するために、まず受信局２０１と送信局２０２の間でコネクションを確立し、次に送信局２０２が無線通信路２０５のリソースを確保した上で送受局２０３との間にコネクションを確立し、最後に送受局２０３がＨＤＤレコーダ２０４との間でコネクションを確立する必要がある。
【００１４】
【特許文献１】
特開２００１−１０３４３７号公報（公開日：平成１３年４月１３日）
【００１５】
【発明が解決しようとする課題】
しかしながら、図１０のような構成の受信局を備える従来のデータ伝送システムでは、受信局が複数あることは想定されていない。例えば前記特開２００１−１０３４３７号公報の方法では、同報通信のような１つの送信局から２つ以上の受信局へ映像を伝送する場合を想定していない。送信局に対して受信局が複数あって、ユーザが送信局側の機器の動作指示操作をある受信局から行った場合に、そのユーザが操作した受信局以外の受信局では、該ユーザが動画通信モードにおいて一時停止を指示したことなどが分からないため、正確なシステムの状態を把握することができないという問題がある。また、ユーザが操作した受信局においても一時停止中に通信状態が劣化した場合には正確な通信状態を把握することができない。
【００１６】
また、複数の受信局がある場合に、すべての受信局に、映像通信の状態を検出する検出手段と報知手段とを具備してこの問題に対処しようとすると、コストが膨大になってしまう。
【００１７】
一方、異なるネットワーク間で映像や音声などの視聴用のデータを伝送するシステムの場合、図５において、受信局２０１は既存のＩＥＥＥ１３９４機器であるため送信局２０２よりリモートの映像源２０６の間にある固有の操作の情報を知ることができない。具体的には、次のような問題点を有している。
【００１８】
たとえば、送信局２０２が無線通信路２０５のリソースを確保できない場合や送受局２０３間のコネクション確立に失敗した場合、受信局２０１と送信局２０２との間に確立されたコネクションを切断する必要がある。
【００１９】
しかしながら、ＩＥＥＥ１３９４上のコネクションの仕様であるＩＥＣ６１８８３−１では、受信局２０１が送信局２０２のＩＥＥＥ１３９４ノード２２０と受信局２０１のＩＥＥＥ１３９４ノード２１８との間に確立したコネクションを、送信局２０２が切断することができない。２つのノード（厳密にはノード上のプラグ）を結ぶコネクションは、そのコネクションを確立したノード上のアプリケーションのみが切断できる。
【００２０】
また、受信局２０１は、送信局２０２が送受局２０３とのコネクション確立に失敗したことを知ることができないため、受信局２０１のＩＥＥＥ１３９４ノード２１８が送信局２０２のＩＥＥＥ１３９４ノード２２０との間に確立されたコネクションを切断することができない。
【００２１】
受信局２０１からＨＤＤレコーダ２０４までコネクションが確立済みの状態において、映像源２０６の送受局２０３で送信局２０２を介して受信局２０１からＨＤＤレコーダ２０４への操作コマンドを受信したが、受信局２０１がＨＤＤレコーダ２０４への制御権を有していない場合、受信局２０１はＨＤＤレコーダ２０４を操作することができない。また、受信局２０１はＨＤＤレコーダ２０４を操作できないことを知ることができない。
【００２２】
本発明は、上記従来の問題点に鑑みなされたものであり、その目的は、受信局に特別な検出手段や報知手段を具備することなく、全ての受信局においてユーザが常に正確なシステムの状態を認識することのできるデータ伝送システムを提供することにある。
【００２３】
【課題を解決するための手段】
本発明の送信局は、上記課題を解決するために、データ源からの視聴用のデータを通信路を介して受信局に送信するものであって、データ伝送に関する指示操作を行うことを含めて上記受信局によって行われる通信接続動作に応じて所定状態が発生したことを、対応する事象の発生として検出する状態検出手段と、上記状態検出手段によって検出された上記所定状態の発生を、上記受信局が上記データを視聴することができるように出力するときに、上記通信路における通信状態の良否を判別することができる状態で上記データとともにユーザに報知することができるように、上記所定状態が発生したことを示す報知情報を上記受信局に送信する送信手段とを備えている。
【００２４】
上記の発明によれば、受信局で送信局に対する所定の通信接続動作が行われ、それに応じて所定状態が発生すると、送信局において、状態検出手段はその所定状態を、送信局での対応する事象の発生として検出する。
【００２５】
そして、所定状態が発生したことを示す報知情報は、送信手段によって受信局に送信される。このとき、送信手段は、受信局によるデータの出力時に、通信路における通信状態の良否を判別することができる状態でデータとともに所定状態の発生をユーザに報知することができるように報知情報を受信局に送信する。報知情報を受信した受信局は、データを出力するときに併せて報知情報を出力することができる。
【００２６】
これにより、受信局が特別な検出手段や報知手段を備えていなくても、ユーザは所定状態が発生したことを、少なくとも通信路における通信状態の良否を判別しながら認識することができる。
【００２７】
したがって、例えば通信路の品質が劣化した通信状態となることにより所定状態が発生したのではなく、通信状態は良好であって受信局からの通信接続動作に応じて所定状態が発生したことを、ユーザは正確に認識することができる。
【００２８】
以上により、受信局に特別な検出手段や報知手段を具備することなく、低コストで受信局においてユーザが常に正確なシステムの状態を認識することを可能ならしめる送信局を提供することができる。
【００２９】
上記送信局は、上記報知情報を上記データに合成する合成手段を更に備え、上記送信手段は、上記合成手段によって合成された合成内容を上記受信局に送信することが好ましい。
【００３０】
この場合、合成手段は、所定状態が発生したことを示す報知情報を視聴用のデータに合成し、送信手段はその合成内容を送信する。このとき、合成手段は、通信路における通信状態の良否を判別することができる状態でデータと所定状態の発生をユーザに報知する報知情報とを受信局が出力できるように合成する。
【００３１】
例えば、動画が一時停止したことを報知することができるように、表示データに一時停止であることが分かるような動画表示データや音声データを付加する。したがって、合成内容を受信した受信局は、データを出力するとき、動画の一時停止が行われていることなどの報知情報を併せて出力することができる。
【００３２】
上記送信局において、上記状態検出手段は、上記データ源との通信路のリソースを確保できたか否かを検出し、上記リソースを確保できなかったことを検出した場合にその旨を示す報知情報を上記送信手段を介して上記受信局に送信すると共に、上記リソースを確保できたことを検出した場合に上記データ源にコネクション確立を要求することが好ましい。
【００３３】
上記送信局によれば、上記データ源との通信路のリソースを確保できなかったことが状態検出手段によって検出された場合、その旨を示す報知情報が上記送信手段を介して上記受信局に送信される。これにより、受信局において、ユーザは、データ源との通信路のリソースを確保できなかったことを認識し、送信局と受信局との接続解除処理を行い、両局間で確立されているコネクションを切断することができる。これに対して、上記リソースを確保できたことが状態検出手段によって検出された場合、上記データ源にコネクション確立が要求される。
【００３４】
上記状態検出手段は、上記データ源にコネクション確立を要求した場合、上記データ源からコネクション確立完了の通知を受信したか否かを検出し、上記通知を受信した場合にはコネクション確立を完了すると共に、上記通知を受信できなかった場合にはコネクション確立に失敗した旨の報知情報を上記送信手段を介して上記受信局に送信することが好ましい。
【００３５】
この場合、状態検出手段は、上記データ源からコネクション確立完了の通知を受信したか否かを検出する。状態検出手段が上記通知を受信した場合、送信局とデータ源との間のコネクション確立が完了する。
【００３６】
これに対して、状態検出手段がデータ源からコネクション確立完了の通知を受信できなかった場合、その旨を示す報知情報が上記送信手段を介して上記受信局に送信される。これにより、受信局において、ユーザは、データ源とのコネクションの確立に失敗したことを認識し、送信局と受信局との接続解除処理を行い、両局間で確立されているコネクションを切断することができる。
【００３７】
本発明に係るデータ源は、上記課題を解決するために、視聴用のデータを通信路及び送信局を介して受信局に送信するものであって、上記通信路及び上記送信局を介して上記受信局から受信したデータ伝送に関する指示操作のコマンド情報に基づいて、上記受信局が上記データ源への制御権を有しているか否かを判断し、制御権を有している場合には上記コマンドに応じて上記データを上記通信路及び上記送信局を介して上記受信局に送信すると共に、上記制御権を有していない場合には上記データ源への制御権を有していない旨を示す報知情報を上記通信路及び上記送信局を介して上記受信局に送信する状態検出手段を備えている。
【００３８】
上記の発明によれば、状態検出手段は、通信路及び送信局を介して受信局から受信したデータ伝送に関する指示操作のコマンド情報に基づいて、上記受信局が上記データ源への制御権を有しているか否かを判断する。
【００３９】
制御権を有していると状態検出手段によって判断された場合、上記コマンドに応じて視聴用のデータが通信路及び送信局を介して上記受信局に送信される。
【００４０】
これに対して、制御権を有していないと状態検出手段によって判断された場合、当該受信局が上記データ源への制御権を有していない旨を示す報知情報が上記通信路及び上記送信局を介して上記受信局に送信される。これにより、受信局において、ユーザは、データ源への制御権を有していないことを認識し、送信局と受信局との接続解除処理を行い、両局間で確立されているコネクションを切断することができる。
【００４１】
上記報知情報は、上記送信局との間で確保された通信リソースを介して上記受信局に送信されることが好ましい。この場合、既に確保済の通信リソースを用いるので、別途、通信リソースを設けることが不要となり、構成及びソフトウェアを簡素化できる。
【００４２】
上記報知情報は、報知すべき情報を送信する理由を文字、絵、音声、動画などユーザが認識できる形態を有していることが好ましい。この場合、ユーザは、即座に且つ正確に報知されてきた情報の内容を認識できる。
【００４３】
本発明に係るデータ伝送方法は、上記課題を解決するために、データ源からの視聴用のデータを通信路及び送信局を介して受信局に送信するものであって、データ伝送に関する指示操作を行うことを含めて上記受信局によって行われる通信接続動作に応じて所定状態が発生したことを、対応する事象の発生として検出する工程と、検出した上記所定状態の発生を、上記受信局が上記データを視聴することができるように出力するときに、上記通信路における通信状態の良否を判別することができる状態で上記データとともにユーザに報知することができるように、上記所定状態が発生したことを示す報知情報を上記送信局から上記受信局に送信する工程と備えている。
【００４４】
上記の発明によれば、受信局で送信局に対する所定の通信接続動作が行われ、それに応じて所定状態が発生すると、送信局において、その所定状態を、送信局での対応する事象の発生として検出する。
【００４５】
そして、所定状態が発生したことを示す報知情報は、受信局に送信される。このとき、受信局によるデータの出力時に、通信路における通信状態の良否を判別することができる状態でデータとともに所定状態の発生をユーザに報知することができるように報知情報を受信局に送信する。報知情報を受信した受信局は、データを出力するときに併せて報知情報を出力することができる。
【００４６】
これにより、受信局が特別な検出手段や報知手段を備えていなくても、ユーザは所定状態が発生したことを、少なくとも通信路における通信状態の良否を判別しながら認識することができる。
【００４７】
したがって、例えば通信路の品質が劣化した通信状態となることにより所定状態が発生したのではなく、通信状態は良好であって受信局からの通信接続動作に応じて所定状態が発生したことを、ユーザは正確に認識することができる。
【００４８】
以上により、受信局に特別な検出手段や報知手段を具備することなく、低コストで受信局においてユーザが常に正確なシステムの状態を認識することのできるデータ伝送方法を提供することができる。
【００４９】
上記報知情報を上記データに合成する工程を更に備え、合成した内容を上記受信局に送信することが好ましい。
【００５０】
この場合、所定状態が発生したことを示す報知情報は視聴用のデータに合成され、その合成内容が受信局に送信される。このとき、通信路における通信状態の良否を判別することができる状態でデータと所定状態の発生をユーザに報知する報知情報とを受信局が出力できるように合成される。
【００５１】
例えば、動画が一時停止したことを報知することができるように、表示データに一時停止であることが分かるような動画表示データや音声データを付加する。したがって、合成内容を受信した受信局は、データを出力するとき、動画の一時停止が行われていることなどの報知情報を併せて出力することができる。
【００５２】
上記データ源との通信路のリソースを確保できたか否かを検出し、上記リソースを確保できなかったことを検出した場合にその旨を示す報知情報を上記送信手段を介して上記受信局に送信すると共に、上記リソースを確保できたことを検出した場合に上記データ源にコネクション確立を要求する工程を更に備えていることが好ましい。
【００５３】
上記データ伝送方法によれば、上記データ源との通信路のリソースを確保できなかったことが検出された場合、その旨を示す報知情報が上記受信局に送信される。これにより、受信局において、ユーザは、データ源との通信路のリソースを確保できなかったことを認識し、送信局と受信局との接続解除処理を行い、両局間で確立されているコネクションを切断することができる。これに対して、上記リソースを確保できたことが検出された場合、上記データ源にコネクション確立が要求される。
【００５４】
上記データ源にコネクション確立を要求した場合、上記データ源からコネクション確立完了の通知を上記送信局が受信したか否かを検出し、上記通知を受信した場合にはコネクション確立を完了すると共に、上記通知を受信できなかった場合にはコネクション確立に失敗した旨の報知情報を上記受信局に送信する工程を備えていることが好ましい。
【００５５】
この場合、上記データ源からコネクション確立完了の通知を送信局が受信したか否かが検出される。上記通知を受信した場合、送信局とデータ源との間のコネクション確立が完了する。
【００５６】
これに対して、データ源からコネクション確立完了の通知を送信局が受信できなかった場合、その旨を示す報知情報が上記受信局に送信される。これにより、受信局において、ユーザは、送信局とデータ源とのコネクションの確立に失敗したことを認識し、送信局と受信局との接続解除処理を行い、両局間で確立されているコネクションを切断することができる。
【００５７】
本発明の他のデータ伝送方法は、上記課題を解決するために、視聴用のデータを通信路及び送信局を介して受信局に送信するデータ伝送方法であって、上記通信路及び上記送信局を介して上記受信局から受信したデータ伝送に関する指示操作のコマンド情報に基づいて、上記受信局が上記データ源への制御権を有しているか否かを判断し、制御権を有している場合には上記コマンドに応じて上記データを上記通信路及び上記送信局を介して上記受信局に送信すると共に、上記制御権を有していない場合には上記データ源への制御権を有していない旨を示す報知情報を上記通信路及び上記送信局を介して上記受信局に送信する工程を備えている。
【００５８】
上記の発明によれば、通信路及び送信局を介して受信局から受信したデータ伝送に関する指示操作のコマンド情報に基づいて、上記受信局が上記データ源への制御権を有しているか否かが判断される。
【００５９】
制御権を有していると判断された場合、上記コマンドに応じて視聴用のデータが通信路及び送信局を介して上記受信局に送信される。
【００６０】
これに対して、制御権を有していないと判断された場合、当該受信局が上記データ源への制御権を有していない旨を示す報知情報が上記通信路及び上記送信局を介して上記受信局に送信される。これにより、受信局において、ユーザは、データ源への制御権を有していないことを認識し、送信局と受信局との接続解除処理を行い、両局間で確立されているコネクションを切断することができる。
【００６１】
本発明のデータ伝送システムは、上記課題を解決するために、視聴用のデータを送信する送信局と、上記送信局から送信されて通信路を介して受信した上記データを視聴することができるように出力する受信局とを備え、上記受信局は、上記送信局に対してデータ伝送に関する指示操作を行うことを含めて上記送信局への通信接続動作が可能なデータ伝送システムにおいて、上記送信局は、所定の上記通信接続動作に応じてシステムに所定状態が発生したことを、上記送信局での対応する事象の発生として検出する状態検出手段と、上記状態検出手段によって検出された上記所定状態の発生を、上記受信局による上記データの出力時に、上記通信路における通信状態の良否を判別することができる状態で上記データとともにユーザに報知することができるように、上記所定状態が発生したことを示す報知情報を上記データに合成する合成手段と、上記合成手段によって生成された合成内容を上記受信局に送信する送信手段とを備えていることを特徴としている。
【００６２】
上記の発明によれば、受信局で所定の通信接続動作が行われて、それに応じてシステムに所定状態が発生すると、送信局において、状態検出手段はその所定状態を送信局での対応する事象の発生として検出する。例えば、ユーザが受信局から送信局へ視聴用のデータである動画の一時停止を指示する操作を行った場合には、この操作に対応する送信局での事象の発生を検出して、システムが動画の一時停止の状態になったことを検出する。
【００６３】
そして、合成手段は、所定状態が発生したことを示す報知情報をデータに合成し、送信手段はその合成内容を送信する。このとき合成手段は、受信局によるデータの出力時に、通信路における通信状態の良否を判別することができる状態でデータとともに所定状態の発生をユーザに報知することができるように合成を行う。例えば動画が一時停止したことを報知することができるように、表示データに一時停止であることが分かるような動画表示データや音声データを付加する。従って、合成内容を受信した受信局は、データを出力するときに併せて、動画の一時停止が行われていることなどの報知情報を出力することができる。
【００６４】
これにより、受信局が特別な検出手段や報知手段を備えていなくても、ユーザはシステムに所定状態が発生したことを、少なくとも通信路における通信状態の良否を判別しながら認識することができる。従って、例えば通信路の品質が劣化した通信状態となることにより動画が静止画のようになっているのではなく、通信状態は良好であって受信局から一時停止の指示操作が行われて動画が一時停止しているといったことを、正確に認識することができる。
【００６５】
また、送信局への所定の通信接続動作としては、新たな受信局がネットワークに接続されたような場合に、この新受信局が送信局にネットワーク接続の通知を行う動作なども挙げられ、このとき送信局は、新受信局が接続されたことを所定状態の発生としてデータに合成して送信することができる。また、受信局がネットワークから離脱したことを所定状態の発生とすることも同様にできる。
【００６６】
以上により、受信局に特別な検出手段や報知手段を具備することなく、低コストで全ての受信局においてユーザが常に正確なシステムの状態を認識することのできるデータ伝送システムを提供することができる。
【００６７】
さらに本発明のデータ伝送システムは、上記課題を解決するために、上記状態検出手段は、上記受信局において行われた所定の上記指示操作の内容を上記送信局が受信したことを上記事象の発生として、上記所定状態が発生したことを検出することを特徴としている。
【００６８】
上記の発明によれば、データ伝送に関して受信局からの指示操作を受け付けるシステムにおいては、指示操作の内容を検出することは予めシステムの基本動作として行われていることであるので、所定の指示操作の内容を検出することを事象の発生とすることにより、所定状態の発生を検出するためのデータ源から送信局に対するインタフェースの数を抑制することができる。
【００６９】
さらに本発明のデータ伝送システムは、上記課題を解決するために、上記状態検出手段は、上記受信局において行われた所定の上記指示操作に応じたデータ源の機器の動作状態についての情報を、上記送信局が上記データ源から受け取って認識することを、上記事象の発生として、上記所定状態が発生したことを検出することを特徴としている。
【００７０】
上記の発明によれば、所定の指示操作に応じたデータ源の機器の動作状態についての情報を、送信局がデータ源から受け取って認識することを、事象の発生とするので、所定状態を直接検出することとなり、事象の発生から所定状態の発生を検出するための処理機構が不要となり、送信局の構成を簡略化することができる。
【００７１】
さらに本発明のデータ伝送システムは、上記課題を解決するために、上記状態検出手段は、上記受信局において行われた所定の上記指示操作に応じたデータ源のデータ状態を上記送信局が認識することを上記事象の発生として、上記所定状態が発生したことを検出することを特徴としている。
【００７２】
上記の発明によれば、指示操作に応じたデータ源のデータ状態を認識することを事象の発生とするので、所定状態を直接検出することとなり、事象の発生から所定状態の発生を検出するための処理機構が不要となり、送信局の構成を簡略化することができる。また、送信局はデータをデータ状態に応じて送信することを基本動作として行うので、データ状態を認識することを事象の発生とすることにより、所定状態の発生を検出するためのデータ源から送信局に対するインタフェースの数を抑制することができる。
【００７３】
さらに本発明のデータ伝送システムは、上記課題を解決するために、上記通信路が無線通信路であることを特徴としている。
【００７４】
上記の発明によれば、無線通信路という、通信状態が不安定な通信路を用いる場合に、ユーザはシステムに所定状態が発生したことを認識することができる。
【００７５】
さらに本発明のデータ伝送システムは、上記課題を解決するために、上記報知情報に動画を用いることを特徴としている。
【００７６】
上記の発明によれば、所定状態が発生したことを動画を用いて報知するので、静止画のような状態でデータが出力されているときに、通信状態は良好であって動画の一時停止が行われているのか、あるいは通信路環境の変化などにより通信路の品質が劣化した通信状態となることによって通信が途切れたのか、さらには動画の一時停止中に通信路の品質が劣化した通信状態となっているのかということを容易に区別することができる。
【００７７】
さらに本発明のデータ伝送システムは、上記課題を解決するために、上記報知情報に音声を用いることを特徴としている。
【００７８】
上記の発明によれば、所定状態が発生したことを音声を用いて報知するので、静止画のような状態でデータが出力されているときに、通信状態は良好であって動画の一時停止が行われているのか、あるいは通信路環境の変化などにより通信路の品質が劣化した通信状態となることによって通信が途切れたのか、さらには動画の一時停止中に通信路の品質が劣化した通信状態となっているのかということを容易に区別することができる。
【００７９】
さらに本発明のデータ伝送システムは、上記課題を解決するために、上記報知情報に文字を用いることを特徴としている。
【００８０】
上記の発明によれば、受信局側に動画や音声を表示・再生する機構がなくても文字情報を表示する機構が存在すれば、ユーザはシステムの状態を正確に認識することができる。
【００８１】
さらに本発明のデータ伝送システムは、上記課題を解決するために、１つの上記送信局と複数の上記受信局とを備えていることを特徴としている。
【００８２】
上記の発明によれば、同報通信を行う場合でも、全ての受信局においてシステムの状態を正確に認識することができる。
【００８３】
さらに本発明のデータ伝送システムは、上記課題を解決するために、上記合成手段による合成を行うか否かが設定可能であることを特徴としている。
【００８４】
上記の発明によれば、システムの状態を報知する必要性の大小に応じて、合成を行うか否かを切り替えることができる。
【００８５】
さらに本発明のデータ伝送システムは、上記課題を解決するために、上記合成手段による合成を行うか否かについて、上記受信局から上記送信局に設定変更を要求することが可能であることを特徴としている。
【００８６】
上記の発明によれば、システムの状態を報知する必要性の大小に応じて、合成を行うか否かの設定を受信局から行うことができる。
【００８７】
さらに本発明のデータ伝送システムは、上記課題を解決するために、上記合成手段による合成を行うか否かについての上記受信局からの設定変更要求を、上記送信局において受け付けるかどうかが選択可能であることを特徴としている。
【００８８】
上記の発明によれば、システムの状態を報知する必要性の大小に応じて、合成を行うか否かについての受信局からの設定を、送信局において受け付けるか否かを決定することができる。
【００８９】
【発明の実施の形態】
〔実施の形態１〕
本発明の一実施の形態について、図１および図２を用いて説明すれば、以下の通りである。なお、本実施の形態では、無線によって映像データの伝送を行うシステムの場合について説明する。
【００９０】
図１に本実施の形態に係る無線映像伝送システム（データ伝送システム）５１のブロック図を示す。無線映像伝送システム５１は、送信局１、映像源２、および受信局３…を備えている。受信局３は１つでも構わないが、ここでは複数存在することとし、送信局１と各受信局３とは無線通信路４によって結合される。送信局１は視聴用のデータを送信し、受信局３は送信局１から送信されて無線通信路４を介して受信したデータを視聴することができるように出力する。また、受信局３では、ユーザが送信局１に対してデータ伝送に関する指示操作（後の一時停止操作や一時停止解除操作など）という、送信局１への通信接続動作を行うことが可能である。
【００９１】
送信局１は、送信部１０、受信部１２、パケット生成部１４、重畳部１６、操作コマンド受信処理部１８、報知情報生成部２０、アンテナ２２、および制御部２４を備えている。また、重畳部１６と報知情報生成部２０とは合成部２６を構成している。
【００９２】
送信局１において、アンテナ２２を介して受信された無線信号は、受信部１２において元の操作コマンド情報に復調され、操作コマンド受信処理部１８に渡される。操作コマンド受信処理部（状態検出手段）１８は操作コマンドの受信処理を行い、これによって、操作コマンド情報に対応した所定状態（一時停止状態など）がシステムに発生したことを検出する。そして、受信された操作コマンド情報を映像源２に伝送するとともに、報知情報生成部２０にも渡す。報知情報生成部２０は、操作コマンド情報に対応する報知情報を生成し、重畳部１６に渡す。報知情報はアニメーションなどの動画であったり、アナウンスや音楽などの音声であったり、テロップなどの文字であったりする。
【００９３】
重畳部１６は、操作コマンドに対応する映像源２からの映像データと、報知情報生成部２０からの報知情報とを重畳することにより報知情報を映像データに合成し、その合成内容をパケット生成部１４に渡す。報知情報生成部２０と重畳部１６とを備える合成部２６は合成手段を構成している。合成部２６は、受信局３による映像データの出力時に、無線通信路４における通信状態の良否を判別することができる状態で映像データとともに操作コマンドに応じた前記所定状態の発生をユーザに報知することができるように、報知情報を映像データに合成する。パケット生成部１４は、重畳された映像データと報知情報とをパケット化し、送信部１０に渡す。送信部（送信手段）１０はパケット化された合成内容を無線信号に変調し、アンテナ２２を介して受信局３に送信する。
【００９４】
また、操作コマンド受信処理部１８は、報知情報生成部２０の機能を有効とするか無効とするかについて受信局３から送信された設定変更要求を検出することも行い、その検出を行うと、その情報を制御部２４に渡す。制御部２４は、予め送信局１の設定として報知情報生成部２０の機能を有効とするか無効とするかについての設定が可能であったり、受信局３からの設定変更要求に応じて報知情報生成部２０の機能を有効とするか無効とするかを制御したりする。また、制御部２４において受信局３からの設定変更要求を受け付けるかどうかが選択可能になっているような構成も考えられる。なお、図１には、無線映像伝送システム５１において一般的に想定している送信局１の構成を示しているが、この他に、制御部２４を構成要件としない送信局であってもよい。
【００９５】
映像源（データ源）２はＴＶチューナ、ＤＶＤプレーヤ、ホームサーバなどの視聴用のデータを提供する外部機器であるが、映像源２と送信局１とが一体となった形態の無線映像伝送システムであってもよい。
【００９６】
受信局３は、映像表示部３０、操作コマンド入力部３２、操作コマンド送信処理部３４、受信部３６、送信部３８、およびアンテナ４０を備えている。ユーザは、リモコンやキーとして実現される操作コマンド入力部３２から、映像データの選択、再生、停止、一時停止、一時停止解除、早送り、巻戻しなどの操作コマンドを入力する。操作コマンド送信処理部３４は、入力された操作コマンド情報を送信部３８に渡す。送信部３８は操作コマンド情報を変調し、アンテナ４０を介して送信局１に送信する。また受信部３６は、アンテナ４０を介して受信した無線信号を元の映像データに復調し、映像表示部３０は、復調された映像データを映像として表示し、併せて音声も出力する。
【００９７】
上記の構成の無線映像伝送システム５１において、送信局１から受信局３へ映像データを伝送している最中に、例えば、ユーザが受信局３の操作コマンド入力部３２から動画の一時停止の操作を行ったとき、操作コマンド送信処理部３４において、一時停止の操作コマンド情報が生成され、送信部３８に渡される。送信部３８において、操作コマンド情報が変調され、アンテナ４０を介して送信される。送信局１では、アンテナ２２を介して受信した無線信号は受信部１２によって元の操作コマンド情報に復調され、操作コマンド受信処理部１８に渡される。受信した一時停止の操作コマンド情報は操作コマンド受信処理部１８によって映像源２へ伝送されるとともに、報知情報生成部２０に渡される。ここで、操作コマンド受信処理部１８は、システムに動画の一時停止という所定の状態が発生したことを、一時停止の操作コマンドを受信したという、送信局１での事象の発生として検出している。
【００９８】
映像源２は、一時停止の操作コマンドを受けて機器を一時停止の状態とする。報知情報生成部２０は、一時停止コマンドに対応する報知情報を生成して重畳部１６に渡す。重畳部１６によって、一時停止コマンドに対応する映像源２からの一時停止の映像データと、報知情報生成部２０からの一時停止を表す報知情報とが重畳され、パケット生成部１４に渡される。重畳するときには、無線通信路４における通信状態の良否をユーザが受信局３で判別することができるように、報知情報を動画や時間的に表示状態が変化する文字、音声などのデータとする。無線通信路４における通信状態が悪い場合には、受信局４で提示される報知情報に時間的な動きがないので、ユーザは通信状態が悪いことを認識することができる。
【００９９】
重畳された一時停止映像データと一時停止報知情報とは、パケット生成部１４によってパケット化され、送信部１０に渡される。合成内容は、送信部１０によって無線信号に変調され、アンテナ２２を介して受信局３に送信される。受信局３では、アンテナ４０を介して受信された無線信号は受信部３６において元の映像データに復調され、映像表示部３０に一時停止映像が表示されるとともに、一時停止状態を示す報知情報が、動画や時間的に表示状態が変化する文字で表示されたり、音声でアナウンスされたりする。
【０１００】
ここで受信局３において、ユーザが操作コマンド入力部３２から一時停止解除の操作を行うと、操作コマンド送信処理部３４によって一時停止解除の操作コマンド情報が生成され、送信部３８に渡される。そして送信部３８によって操作コマンド情報が変調され、アンテナ４０を介して送信される。送信局１において、アンテナ２２を介して受信された無線信号は受信部１２によって復調され、操作コマンド受信処理部１８に渡される。受信された一時停止解除の操作コマンド情報は操作コマンド受信処理部１８によって映像源２へ伝送されるとともに、報知情報生成部２０に渡される。ここで、操作コマンド受信処理部１８は、システムに動画の一時停止解除という所定の状態が発生したことを、一時停止解除の操作コマンドを受信したという、送信局１での事象の発生として検出している。
【０１０１】
報知情報生成部２０は、一時停止解除コマンドに対応する報知情報を生成し、重畳部１６に渡す。この場合の報知情報は、動画・静止画などに関わらず何らかの画像や、音声のデータでよい。重畳部１６は、一時停止解除コマンドに対応する映像源２からの映像データと、報知情報生成部２０からの一時停止解除報知情報とを重畳してパケット生成部１４に渡す。パケット生成部１４において、重畳された映像データと一時停止解除報知情報とがパケット化され、送信部１０に渡される。合成内容は、送信部１０によって無線信号に変調され、アンテナ２２を介して受信局３に送信される。受信局３では、アンテナ４０を介して受信した無線信号は受信部３６によって元の映像データに復調され、映像表示部３０に映像が表示されるとともに、一時停止解除状態を示す報知情報が動画や文字で表示されたり、音声でアナウンスされたりする。もし、一時停止解除状態であることが表示されていて映像が停止しているならば、一時停止解除を報知し始めた後に無線通信路４における通信状態が悪化したことが分かる。
【０１０２】
次に本実施の形態における送信局１の動作について図２に示すフローチャートを用いて説明する．
送信局１の報知情報生成部２０が一時停止操作を検出すると（ステップＳ１）、一時停止状態を表す報知情報を生成して（ステップＳ２）、重畳部１６に渡す。一時停止状態の時に、一時停止解除操作を検出すると（ステップＳ３）、一時停止解除を表す報知情報を生成して（ステップＳ４）、重畳部１６に渡す。
【０１０３】
上記の例では一時停止解除の報知情報を生成し、ユーザに映像源２の機器の動作状態を示す方法を説明したが、操作コマンド受信処理部１８によって一時停止解除の操作コマンドが検出されたときに、報知情報生成部２０によって生成する報知情報を無表示や無音として映像データに何も重畳せず、受信局３で一時停止時の報知情報を消すことによって一時停止状態から一時停止解除に移行したことを示すことも可能である。無線通信路４における通信状態が良好であれば、一時停止の報知情報が消えた後に動画の映像データが出力される。一時停止中に無線通信路４における通信状態が悪化した場合には、一時停止であることを示す報知情報に時間的な動きがなくなったり、音声で示す報知情報が途切れたりするので、ユーザはこれを一時停止中の問題として捉えることとなり、一時停止解除についての誤認識は起こらない。
【０１０４】
このような一連の映像表示部１０への表示は、受信する映像データが終了するか、ユーザによって停止操作が行われるまで続くことになる。
【０１０５】
以上に述べた本実施の形態の無線映像伝送システム５１によれば、受信局３が特別な検出手段や報知手段を備えていなくても、ユーザはシステムに所定状態が発生したことを、少なくとも無線通信路４における通信状態の良否を判別しながら認識することができる。従って、例えば無線通信路４の品質が劣化した通信状態となることにより動画が静止画のようになっているのではなく、通信状態は良好であって受信局３から一時停止の指示操作が行われて動画が一時停止しているといったことを、正確に認識することができる。
【０１０６】
また、送信局１への所定の通信接続動作としては、新たな受信局３が通信可能エリアに加わるなどしてネットワークに接続されたような場合に、この新受信局３が送信局１にネットワーク接続の通知を行う動作なども挙げられる。このとき送信局１は、新受信局３が接続されたことを所定状態の発生として映像データに合成して送信することができる。また、受信局３がネットワークから離脱したことを所定状態の発生とすることも同様にできる。
【０１０７】
以上により、無線映像伝送システム５１では、受信局３に特別な検出手段や報知手段を具備することなく、低コストで全ての受信局３においてユーザが常に正確なシステムの状態を認識することができる。
【０１０８】
また、無線映像伝送システム５１によれば、受信局３においてユーザによって行われた一時停止操作や一時停止解除操作といった指示操作の内容を送信局１が受信したことを、操作コマンド受信処理部１８が送信局１での事象の発生として検出することにより、所定状態が発生したことを検出するようにしている。
【０１０９】
データ伝送に関して送信局が受信局からの指示操作を受け付けるシステムにおいては、指示操作の内容を検出することは予めシステムの基本動作として行われていることである。従って、所定の指示操作の内容を検出することを事象の発生とすることにより、所定状態の発生を検出するための映像源２から送信局１に対するインタフェースの数は抑制されたものとなる。
【０１１０】
また、本実施の形態によれば、無線映像伝送システム５１のように、無線通信路という、通信状態が不安定な通信路を用いる場合において、ユーザはシステムに所定状態が発生したことを認識することができる。
【０１１１】
また、無線映像伝送システム５１によれば、所定状態が発生したことを動画や音声を用いて報知する。従って、静止画のような状態でデータが出力されているときに、通信状態は良好であって動画の一時停止が行われているのか、あるいは通信路環境の変化などによる通信路の品質が劣化した通信状態となることによって通信が途切れたのか、さらには動画の一時停止中に通信路の品質が劣化した通信状態となっているのかということを容易に区別することができる。
【０１１２】
また、無線映像伝送システム５１によれば、報知情報に文字を用いることもできる。従って、受信局３側に動画や音声を表示・再生する機構がなくても文字情報を表示する機構が存在すれば、ユーザはシステムの状態を正確に認識することができる。
【０１１３】
また、無線映像伝送システム５１のように、１つの送信局１と複数の受信局３…とを備えているときには、同報通信を行う場合でも、全ての受信局３においてシステムの状態を正確に認識することができる。
【０１１４】
また、前述したように、無線映像伝送システム５１において報知情報の映像データへの合成を行うか否かを設定可能とすれば、システムの状態を報知する必要性の大小に応じて、合成を行うか否かを切り替えることができる。
【０１１５】
上記の場合にさらに、合成を行うか否かについて、受信局３から送信局１に設定変更を要求することを可能とすれば、システムの状態を報知する必要性の大小に応じて、合成を行うか否かの設定を受信局３から行うことができる。
【０１１６】
この場合にさらに、合成を行うか否かについての受信局３からの設定変更要求を、送信局１において受け付けるかどうかを選択可能とすれば、システムの状態を報知する必要性の大小に応じて、合成を行うか否かについての受信局３からの設定を、送信局１において受け付けるか否かを決定することができる。
【０１１７】
なお、本実施の形態では、指示操作の例として一時停止操作および一時停止解除操作を挙げて説明したが、指示操作はこれに限定されるものではなく、映像の選択、再生、停止、早送り、巻戻しなどの機器の動作状態を指示する操作であってもよい。
【０１１８】
〔実施の形態２〕
本発明の他の実施の形態について、図３を用いて説明すれば以下の通りである。なお、前記実施の形態１で述べた構成要素と同一の機能を有する構成要素については同一の符号を付し、その説明を省略する。
【０１１９】
実施の形態１では、送信局１の操作コマンド受信処理部１８が状態検出手段として、受信した操作コマンド情報から映像源２の機器の動作状態を検出することについて説明した。これに対して本実施の形態では、映像源から機器の動作状態の情報を直接受け取ることによって、システムに所定状態が発生したことを検出することについて述べる。
【０１２０】
図３に本実施の形態に係る無線映像伝送システムの送信側の構成を示す。受信側については、実施の形態１と同じであるため省略している。
【０１２１】
送信側は送信局１’および映像源２’を備えている。送信局１’は、送信部１０、受信部１２、パケット生成部１４、重畳部１６、操作コマンド受信処理部１８’、報知情報生成部２０’、アンテナ２２、および制御部２４を備えている。このうち送信部１０、受信部１２、パケット生成部１４、重畳部１６、アンテナ２２、および制御部２４は実施の形態１と同じである。また、重畳部１６と報知情報生成部２０’とは合成部２６’を構成している。
【０１２２】
操作コマンド受信処理部１８’は、受信された操作コマンド情報を映像源２’に伝送する。映像源２’は、操作コマンドに対応する映像データを重畳部１６に渡し、映像源２’の機器の動作状態の情報を報知情報生成部２０’に渡す。報知情報生成部（状態検出手段）２０’は、機器の動作状態の情報に対応する報知情報を生成して重畳部１６に渡す。合成部２６’は合成手段として、実施の形態１の合成部２６と同様に報知情報を映像データに合成する。
【０１２３】
すなわち、受信局３において行われた一時停止操作や一時停止解除操作などの所定の指示操作に応じて映像源２’の機器の動作状態が決まるが、本実施の形態では、この機器の動作状態についての情報を送信局１’が映像源２’から受け取って認識することを、報知情報生成部２０’が送信局１’での事象の発生として検出することにより、所定状態が発生したことを検出する。従って、所定状態を直接検出することとなり、事象の発生から所定状態の発生を検出するための処理機構が不要となり、送信局１’の構成は簡略化されたものとなる。
【０１２４】
なお、機器の動作状態の情報を映像源から直接受け取る他の方法として、受信局３において行われた所定の指示操作に応じた映像源２・２’のデータ状態を送信局１・１’が認識することを、重畳部（状態検出手段）１６が送信局１・１’での事象の発生として検出することにより、所定状態が発生したことを検出する方法もある。このとき、重畳部１６は報知情報生成部２０・２０’としても機能するようにすればよい。すなわち、重畳部１６は映像源２・２’から入力される映像データとしての入力データの流れを観察し、入力データの変化状態から、入力データが動画データ、一時停止データ、静止画データなどの状態のいずれにあるかということを検出する。例えば入力データが一定である場合は静止画であると判断して、その状態を報知情報にする。
【０１２５】
これによっても、送信局１・１’では事象の発生から所定状態の発生を検出するための処理機構が不要となり、送信局１・１’の構成は簡略化されたものとなる。また、送信局１・１’はデータをデータ状態に応じて送信することを基本動作として行うので、データ状態を認識することを事象の発生とすることにより、所定状態の発生を検出するための映像源２・２’から送信局１・１’に対するインタフェースの数は抑制されたものとなる。
【０１２６】
〔実施の形態３〕
本発明のさらに他の実施の形態について、図１を用いて説明すれば以下の通りである。
【０１２７】
実施の形態１および２では、映像源の機器の動作状態について報知するときに該動作状態がどのようになっているかということのみを報知することについて述べた。本実施の形態では、より詳しい情報を報知すること、例えばどの受信局３によって指示操作が行われたかという情報をも報知することについて説明する。無線映像伝送システムの構成は図１と同様であるが、送信局１の制御部２４の内部メモリには、通信プロトコル上で規定される各受信局３のネットワークアドレスと、受信局名のテーブルとが保持されている。なお、受信局３および送信局１側の映像源２、重畳部１６、パケット生成部１４、および送信部１０の動作については実施の形態１と同様であるため省略する。
【０１２８】
送信局１において、アンテナ２２を介して受信された無線信号は、受信部１２において元の操作コマンド情報に復調され、操作コマンド受信処理部１８に渡される。操作コマンド受信処理部１８は、受信された操作コマンド情報を映像源２に伝送するとともに、報知情報生成部２０にも渡す。また、操作コマンドを送信した受信局３のネットワークアドレス情報が制御部２４に渡される。制御部２４は、内部メモリに保持している受信局３のネットワークアドレス情報と受信局名のテーブルとに対して該当する受信局名についての参照を行い、該当する受信局名があればこれを報知情報生成部２０に渡す。報知情報生成部２０は、例えば操作コマンドが一時停止であって、操作した受信局名がＴ１であったとすると、Ｔ１によって一時停止されたということを示す報知情報を生成し、重畳部１６に渡す。
【０１２９】
〔実施の形態４〕
本発明のさらに他の実施の形態について、図４を用いて説明すれば、以下の通りである。なお、前記実施の形態１ないし３で述べた構成要素と同一の機能を有する構成要素については同一の符号を付し、その説明を省略する。
【０１３０】
実施の形態１ないし３では、映像データを扱うシステムについて述べたが、本実施の形態では音声データを扱うシステムについて述べる。以下、無線により音声データの伝送を行う無線音声伝送システムについて説明する。
【０１３１】
図４に無線音声伝送システム６１の構成を示す。送信側は送信局１および音源５を備えており、送信局１については実施の形態１と同じである。また受信側は受信局６を備えており、指示操作やネットワーク接続などの、送信局１と受信局６との通信関係については実施の形態１ないし３の送信局と受信局との通信関係と同様である。
【０１３２】
送信局１において、アンテナ２２を介して受信された無線信号は、受信部１２において元の操作コマンド情報に復調され、操作コマンド受信処理部１８に渡される。操作コマンド受信処理部１８は、受信した操作コマンド情報を音源５に伝送するとともに、報知情報生成部２０にも渡す。報知情報生成部２０は、操作コマンド情報に対応する報知情報を生成し、重畳部１６に渡す。報知情報としては音声が用いられる。重畳部１６は、操作コマンドに対応する音源５からの音声データと、報知情報生成部２０からの報知情報とを重畳して合成し、パケット生成部１４に渡す。パケット生成部１４は、重畳された音声データと報知情報とをパケット化して送信部１０に渡す。送信部１０は合成内容を無線信号に変調し、アンテナ２２を介して受信局６に送信する。
【０１３３】
また、操作コマンド受信処理部１８は、報知情報生成部２０の機能を有効とするか無効とするかについての設定変更要求を検出すると、その情報を制御部２４に渡す。制御部２４は、予め送信局１の設定として報知情報生成部２０の機能を有効とするか無効とするかについての設定が可能であったり、受信局６からの設定変更要求から報知情報生成部２０の機能を有効とするか無効とするかを制御したりする。また受信局６からの設定変更要求を受け付けるかどうかが、制御部２４において選択可能になっている構成も考えられる。なお、図４には、無線映像伝送システム６１において一般的に想定している送信局１の構成を示しているが、この他に、制御部２４を構成要件としない送信局であってもよい。
【０１３４】
音源（データ源）５はステレオ、ＣＤプレーヤ、ホームサーバ、パソコンなどの視聴用のデータを提供する外部機器であるが、音源５と送信局１とが一体となった形態の無線音声伝送システムであってもよい。
【０１３５】
受信局６は、音声再生部７０、操作コマンド入力部７２、操作コマンド送信処理部７４、受信部７６、送信部７８、およびアンテナ８０を備えている。ユーザは、リモコンやキーとして実現される操作コマンド入力部７２から音声データの選択、再生、停止、一時停止、一時停止解除、早送り、巻戻しなどの操作コマンドを入力する。入力された操作コマンドは、操作コマンド送信処理部７４によって送信部７８に渡される。送信部７８は、操作コマンド情報を変調し、アンテナ８０を介して送信局１に送信する。またアンテナ８０を介して受信された無線信号は、受信部７６によって元の音声データに復調され、音声再生部７０によって音声となって出力される。
【０１３６】
上記の構成の無線音声伝送システム６１において、送信局１から受信局６へ音声データを伝送している最中に、例えば、ユーザが受信局６の操作コマンド入力部７２から一時停止の操作を行ったとき、操作コマンド送信処理部７４は、一時停止の操作コマンド情報を生成して送信部７８に渡す。送信部７８は、操作コマンド情報を変調してアンテナ８０を介して送信する。送信局１では、アンテナ２２を介して受信された無線信号が受信部１２によって元の操作コマンド情報に復調され、操作コマンド受信処理部１８に渡される。操作コマンド受信処理部１８は、受信された一時停止の操作コマンド情報を音源５へ伝送するとともに、報知情報生成部２０に渡す。
【０１３７】
報知情報生成部２０は、一時停止コマンドに対応する報知情報を生成して重畳部１６に渡す。一時停止であるので、このことは無音の音声データに一時停止報知情報を重畳して合成したことに等しい。重畳部１６は、報知情報生成部２０からの一時停止報知情報をパケット生成部１４に渡す。パケット生成部１４は、一時停止報知情報をパケット化して送信部１０に渡す。送信部１０は、一時停止報知情報を無線信号に変調し、アンテナ２２を介して受信局６に送信する。受信局６において、アンテナ８０を介して受信された無線信号は、受信部７６によって元の音声データに復調され、音声再生部７０によって一時停止状態を表す音声としてアナウンスされたり、音楽として出力されたりする。もし、一時停止状態を示す報知がなされなくて、何も音声データが出力されないならば、ユーザは無線通信路４における通信状態が悪いことを判別することができる。
【０１３８】
ここでユーザが操作コマンド入力部７２から一時停止解除の操作を行うと、操作コマンド送信処理部７４によって、一時停止解除の操作コマンド情報が生成され、送信部７８に渡される。送信部７８は操作コマンド情報を変調してアンテナ８０を介して送信する。送信局１では、アンテナ２２を介して受信された無線信号が受信部１２において復調され、操作コマンド受信処理部１８に渡される。操作コマンド受信処理部１８は、受信された一時停止解除の操作コマンド情報を音源５へ伝送するとともに、報知情報生成部２０に渡す。
【０１３９】
報知情報生成部２０は、一時停止解除コマンドに対応する報知情報を生成して重畳部１６に渡す。重畳部１６は、一時停止解除コマンドに対応する音源５からの音声データと、報知情報生成部２０からの一時停止解除報知情報とを重畳し、パケット生成部１４に渡す。パケット生成部１４は、重畳された音声データと一時停止解除報知情報とをパケット化し、送信部１０に渡す。送信部１０は、合成内容を無線信号に変調して、アンテナ２２を介して送信する。受信局６において、アンテナ８０を介して受信された無線信号は、受信部７６によって元の音声データに復調され、音声再生部７０によって一時停止解除を表す音声としてアナウンスされたり、音楽として出力されたりする。もし、一時停止解除を報知する音声が出力され始めてから途中で、または出力され終わった後に何も音声が出力されなければ、一時停止解除を報知し始めた後に無線通信路４における通信状態が悪化したことが分かる。
【０１４０】
上記の例では一時停止解除の報知情報を生成し、ユーザに音源５の機器の動作状態を示す方法を説明したが、操作コマンド受信処理部１８によって一時停止解除の操作コマンドが検出されたときに、報知情報生成部２０によって生成する報知情報を無音として音声データに何も重畳せず、受信局６で一時停止時の報知情報を消すことによって一時停止状態から一時停止解除に移行したことを示すことも可能である。無線通信路４における通信状態が良好であれば、一時停止の報知情報が消えた後に音源５からの音声が出力される。一時停止中に無線通信路４における通信状態が悪化した場合には、一時停止中に何も音声が出力されなくなるので、ユーザはこれを一時停止中の問題として捉えることとなり、一時停止解除についての誤認識は起こらない。
【０１４１】
また、上記の例では報知情報として音声を用いたが、受信局６においてＬＣＤなどの映像表示手段を具備している形態においては、報知情報として映像や文字を用いることも可能である。
【０１４２】
また、本実施の形態では、実施の形態１ないし３で述べた種々の構成を、映像源を音源に変えて同様に適用することができる。
【０１４３】
以上、実施の形態１から４まで述べたが、本発明のデータ伝送システムにおいては、通信方式、符号化方式、変調方式などは一切限定されるものではない。
【０１４４】
〔実施の形態５〕
ここで、送信局２０２で無線通信路２０５上のコネクション確立失敗を検知でき、受信局２０１との間に確立されたコネクションを用いて、コネクション確立に失敗した旨の報知情報を伝送することができる実施の形態について以下に説明する。
【０１４５】
本実施の形態について、図５、図６および図７を用いて説明すれば、以下の通りである。なお、本実施の形態では、無線によって映像データの伝送を行うシステムの場合について説明するが、本発明はこれに限定されるものではない。また、受信局は複数個存在する場合であってもよい。
【０１４６】
図５に本実施の形態に係る無線映像伝送システムのブロック図を示す。無線映像伝送システムは、ローカルのＩＥＥＥ１３９４機器である受信局２０１とリモートのＩＥＥＥ１３９４機器であるＨＤＤ（ハードディスクドライブ）レコーダ２０４との間に無線通信機能を有する送信局２０２、送受局２０３を介して映像データを伝送する。
【０１４７】
この無線映像伝送システムは、ローカルのＩＥＥＥ１３９４機器で少なくともＩＥＥＥ１３９４ノード２１８及び映像表示部２１０から成る受信局２０１と、リモートのＩＥＥＥ１３９４機器と通信を行うために少なくとも無線通信を行うための無線部２１２及びＩＥＥＥ１３９４ノード２２０から成る送信局２０２と、ローカルのＩＥＥＥ１３９４機器と通信を行うために少なくとも無線通信機能を有する送受局２０３、及び視聴するための映像データを保持するＨＤＤレコーダ２０４から成る映像源２０６とで構成される。
【０１４８】
上記ＨＤＤレコーダ２０４は、少なくとも、データを記憶するための映像記憶部２１６とＩＥＥＥ１３９４ノード２２４とから成り、上記の送受局２０３は、少なくとも、無線通信を行うための無線部２１４とＩＥＥＥ１３９４ノード２２２とから成る。
【０１４９】
たとえば、受信局２０１と送信局２０２の間、及び送受局２０３とＨＤＤレコーダ２０４の間は、ＩＥＥＥ１３９４ケーブル２３０、及び２３２でそれぞれ接続され、送信局２０２と送受局２０３は無線通信路２０５を介して接続されている。なお、本発明は、このような接続に限定されるものではなく、たとえば、受信局２０１と送信局２０２の間、及び送受局２０３とＨＤＤレコーダ２０４の間が、ＩＥＥＥ１３９４ケーブルの代わりに、無線通信路でそれぞれ接続されているシステムにも適用可能である。
【０１５０】
リモートのＩＥＥＥ１３９４機器であるＨＤＤレコーダ２０４の映像記憶部２１６に記憶されている映像データをローカルのＩＥＥＥ１３９４機器である受信局２０１の映像表示部２１０に表示するために受信局２０１からＨＤＤレコーダ２０４までコネクションを確立する手順は次のとおりである。
【０１５１】
まず、受信局２０１のＩＥＥＥ１３９４ノード２１８が送信局２０２のＩＥＥＥ１３９４ノード２２０に対して、ＨＤＤレコーダ２０４へのコネクション確立要求を行うことによってコネクション確立処理を行う。
【０１５２】
上記ＩＥＥＥ１３９４ノード２１８と上記ＩＥＥＥ１３９４ノード２２０とのコネクションが確立されると、送信局２０２の無線部２１２は、送受局２０３への無線通信路２０５のリソースを確保した上で、コネクション確立要求パケットの送信処理を行う（送信局２０２の詳細な動作については後述する）。
【０１５３】
送受局２０３の無線部２１４がコネクション確立要求パケットを受信し、送受局２０３のＩＥＥＥ１３９４ノード２２２との間のコネクションが確立されると、ＩＥＥＥ１３９４ノード２２２はＨＤＤレコーダ２０４のＩＥＥＥ１３９４ノード２２４へコネクション確立要求を行う。ＨＤＤレコーダ２０４のＩＥＥＥ１３９４ノード２２４との間のコネクションが確立されると、受信局２０１からＨＤＤレコーダ２０４までのコネクション確立が完了する。
【０１５４】
なお、受信局２０１から送信局２０２にコネクション要求を行うためには、ＨＤＤレコーダ２０４の持つＣｏｎｆｉｇＲＯＭ，ＰＣＲ／ＭＰＲなどの情報を送信局２０２へ事前にコピーするなどして送信局２０２をＨＤＤレコーダ２０４に見せかけるとともに、受信局２０１からＨＤＤレコーダ２０４までの通信経路（送信局２０２と送受局２０３を経由すること）を事前に確定させておくことが必要である。
【０１５５】
送信局２０２から送受局２０３へのコネクション確立処理において、無線通信路２０５のリソースが確保できない場合や、送信局２０２から送受局２０３へのコネクション確立に失敗した場合には、送信局２０２のＩＥＥＥ１３９４ノード２２０が受信局２０１のＩＥＥＥ１３９４ノード２１８との間に確立されたコネクションを用いて、送受局２０３とのコネクション確立に失敗した旨を告げる報知情報を受信局２０１に出力する。
【０１５６】
上記の報知情報は、これを受け取った受信局２０１の映像表示部２１０に表示される。報知情報を介して、送信局２０２と送受局２０３との間のコネクション確立に失敗したことを知ったユーザは、送信局２０２のＩＥＥＥ１３９４ノード２２０と受信局２０１のＩＥＥＥ１３９４ノード２１８との間の接続を解除する処理を行い、コネクションを切断することができる。
【０１５７】
ここで、本実施の形態における上記の送信局２０２の構成と動作について、図６のブロック図および図７のフローチャートを参照しながら詳細に説明する。
【０１５８】
送信局２０２は、ＩＥＥＥ１３９４機器とのインターフェースである１３９４ＩＦ２６２と、受信局２０１との間で送信及び受信をそれぞれ行う送信部２５８および受信部２６０と、受信局２０１から受信したリモートのＩＥＥＥ１３９４機器への操作コマンドを処理する操作コマンド処理部２６６と、事象を報知するための報知情報を記憶する報知情報記憶部２６４と、コネクション確立の制御を行うコネクション確立制御部２６８と、映像源２０６からのデータかコネクション確立制御部２６８からのデータかを切り替えて受信局２０１にデータを送信するスイッチ２７０と、無線信号の送受信を行うアンテナ２７６と、送信データをパケット化して変調しアンテナ２７６を介して送信する無線送信部２７４と、アンテナ２７６を介して受信した無線信号を復調する無線受信部２７２とから構成されている。
【０１５９】
受信局２０１は、ＩＥＥＥ１３９４機器とのインターフェースである１３９４ＩＦ２５６と、送信局２０２との間で送信及び受信をそれぞれ行う送信部２５２および受信部２５４と、受信した映像データを表示するための映像表示部２１０と、ユーザがコマンド入力を行うコマンド入力部２５０とから構成されている。
【０１６０】
このような送信局２０２と受信局２０１において、ユーザが、受信局２０１のコマンド入力部２５０を介して、ＨＤＤレコーダ２０４に見せかけている送信局２０２を接続相手として選択すると、１３９４ＩＦ２５６を介して送信部２５２はコネクション確立要求を送信局２０２へ送信する。１３９４ＩＦ２６２を介してコネクション確立要求を受け取ると、送信局２０２の受信部２６０は、上記コネクション確立要求をコネクション確立制御部２６８に送る。
【０１６１】
コネクション確立制御部２６８は、図７に示すように、上記コネクション確立要求を受け取る（ステップＳ１）と、映像源２０６への無線通信路２０５のリソースを確保するために、無線送信部２７４へ無線リソース確保を指示し、無線リソース管理局（図示せず）からのリソースの確保を試みる（ステップＳ２）。
【０１６２】
無線送信部２７４から映像源２０６への無線リソースが確保できなければ（ステップＳ３）、コネクション確立制御部２６８は報知情報記憶部２６４から無線リソースの確保に失敗した旨を告げる報知情報を読み出し、スイッチ２７０をコネクション確立制御部２６８側に切り替えて、送信部２５８に渡す。送信部２５８は、その報知情報を１３９４ＩＦ２６２を介して受信局２０１に送信する（ステップＳ４）。
【０１６３】
受信局２０１の受信部２５４は、１３９４ＩＦ２５６を介して上記の報知情報を受け取って映像表示部２１０に送り、ここで無線リソースの確保に失敗した旨が表示される。この表示を介して無線リソースの確保に失敗したことを知ると、ユーザは、先に選択したＨＤＤレコーダ２０４をキャンセルする、あるいは別の機器を選択することにより、受信局２０１と送信局２０２との間に確立されたコネクションを切断することが可能となる。
【０１６４】
これに対して、ステップＳ３において、無線送信部２７４から映像源２０６への無線リソースの確保に成功すれば、無線送信部２７４から映像源２０６へコネクション確立要求パケットが送信される（ステップＳ５）。
【０１６５】
このコネクション確立要求パケットに対し、一定時間以内に（ステップＳ６）無線受信部２７２がアンテナ２７６を介して映像源２０６からのコネクション確立完了パケットを受信する（ステップＳ７）と、コネクション確立完了情報がコネクション確立制御部２６８に送られる。このコネクション確立完了情報を受けると、コネクション確立制御部２６８は、スイッチ２７０を無線受信部２７２側に切り替えてコネクション確立を完了する（ステップＳ８）。
【０１６６】
コネクション確立要求パケットに対し、映像源２０６からのコネクション確立完了パケットを受信できなかった（コネクション確立不可応答パケットを受信したか、応答パケットを一定時間内に受信できなかった）場合（ステップＳ９）、コネクション確立制御部２６８は報知情報記憶部２６４からコネクション確立に失敗した旨を告げる報知情報を読み出し、スイッチ２７０をコネクション確立制御部２６８側に切り替えて、上記の報知情報を送信部２５８に渡す。送信部２５８はその報知情報を１３９４ＩＦ２６２を介して受信局２０１に送信する（ステップＳ１０）。
【０１６７】
受信局２０１の受信部２５４は、１３９４ＩＦ２５６を介して上記の報知情報を受け取って映像表示部２１０に送り、ここでコネクション確立に失敗した旨が表示される。コネクション確立に失敗したことを知ると、ユーザは、受信局２０１と送信局２０２との間で確立されたコネクションを切断することができる。
〔実施の形態６〕
ここで、映像源２０６の送受局２０３において、受信局２０１がＨＤＤレコーダ２０４への制御権を有していないことが検知でき、送受局２０３から受信局２０１まで確立されたコネクションを用いて、制御権を有していない旨の報知情報を伝送することができる実施の形態について以下に説明する。
【０１６８】
本実施の形態について、図８および図９用いて説明すれば以下の通りである。なお、映像源２０６の送受局２０３は前記実施の形態５で述べた送信局２０２の構成要素と同一の機能を有する構成要素については同一の符号を付し、その説明を省略する。また、本実施の形態では、無線によって映像データの伝送を行うシステムの場合について説明するが、本発明はこれに限定されるものではない。更に、受信局は複数個存在する場合であってもよい。
【０１６９】
実施の形態５では、送信局２０２が映像源２０６への無線通信路２０５のリソースの確保に失敗した場合と、映像源２０６とのコネクション確立に失敗した場合について述べた。
【０１７０】
これに対して本実施の形態６では、受信局２０１からＨＤＤレコーダ２０４までコネクションが確立済みの状態において、映像源２０６の送受局２０３で送信局２０２を介して受信局２０１からＨＤＤレコーダ２０４への操作コマンドを受信したが、受信局２０１がＨＤＤレコーダ２０４への制御権を有していない場合について説明する。
【０１７１】
本実施の形態に係る無線映像伝送システムの映像源２０６の構成と動作について、図８のブロック図および図９のフローチャートを参照しながら説明する。なお、送信局２０２及び受信局２０１については、実施の形態５と同じ構成であるため、説明を省略する。
【０１７２】
映像源２０６のＨＤＤレコーダ２０４は、ＩＥＥＥ１３９４機器とのインターフェースである１３９４ＩＦ２７８と、送受局２０３との間で送信及び受信をそれぞれ行う送信部２８０および受信部２８２と、送受信の制御を行う制御部２８４と、視聴するための映像データを記憶する映像記憶部２８６とから構成されている。
【０１７３】
上記の送受局２０３は、ＨＤＤレコーダ２０４への制御権を管理する操作コマンド管理部２６５を備えている。なお、図８においては、ＨＤＤレコーダ２０４の１３９４ＩＦ２７８と、送受局２０３の１３９４ＩＦ２６２とが有線で接続されている場合が描かれているが、本発明はこれに限定されるものではなく、無線接続されている場合にも適用可能である。
【０１７４】
送受局２０３の無線受信部２７２が送信局２０２を介して受信局２０１からのＨＤＤレコーダ２０４への再生開始などの操作コマンドを受信すると、図９に示すように、コマンド情報が操作コマンド処理部２６６を介して操作コマンド管理部２６５に渡される（ステップＳ１）。
【０１７５】
操作コマンド管理部２６５は受領したコマンド情報から、受信した操作コマンドの送信元が受信局２０１であり、コマンドの送信先がＨＤＤレコーダ２０４であることを識別し、受信局２０１がＨＤＤレコーダ２０４への制御権を有しているかどうかを検査する（ステップＳ２）。
【０１７６】
検査の結果、受信局２０１がＨＤＤレコーダ２０４への制御権を有していると判断された場合（ステップＳ３）、操作コマンド処理部２６６から再生開始などの操作コマンドが送信部２５８に渡され、送信部２５８は１３９４ＩＦ２６２を介してＨＤＤレコーダ２０４に対して、再生開始などの操作コマンドを送信する（ステップＳ４）。
【０１７７】
ＨＤＤレコーダ２０４の受信部２８２が１３９４ＩＦ２７８を介して再生開始などの操作コマンドを受信すると、その操作コマンドが制御部２８４に渡される。制御部２８４は、再生開始などの操作コマンドを受け取ると映像記憶部２８６から映像データを読み出し、その映像データを送信部２８０から１３９４ＩＦ２７８を介して送受局２０３に送信することで、再生などの操作を開始する。
【０１７８】
ステップＳ３において、受信局２０１がＨＤＤレコーダ２０４への制御権を有していないと判断された場合、操作コマンド管理部２６５は、受信局２０１がＨＤＤレコーダ２０４への制御権を有していない旨を告げる報知情報を報知情報記憶部２６４から読み出し、スイッチ２７０を操作コマンド管理部２６５側に切り替えて、上記の報知情報を無線送信部２７４に渡す。無線送信部２７４は受け取った報知情報をアンテナ２７６から、送信局２０２を介して受信局２０１へ送信する（ステップＳ５）。
【０１７９】
これにより、受信局２０１において、ユーザは、ＨＤＤレコーダ２０４への制御権を有していないことを認識し、送信局２０２と受信局２０１との接続解除処理を行い、両局間で確立されているコネクションを切断することができる。
【０１８０】
本実施の形態では、送受局２０３が再生開始の操作コマンドを受信したときの例について説明したが、本発明はこれに限定されるものではなく、たとえば、停止、一時停止、早送り、巻戻し、チャンネル切り替え、又は映像データ切り替えなどの操作コマンドを受信した場合にも適用することが可能である。
【０１８１】
また、本実施の形態では、送受局２０３の操作コマンド管理部２６５がＨＤＤレコーダ２０４への操作コマンドを受信したとき、コマンド送信元の受信局２０１に制御権が存在しない場合について説明したが、本発明はこれに限定されるものではない。
【０１８２】
すなわち、たとえば、ＨＤＤレコーダ２０４の電源がＯＦＦの状態であった場合や、送受局２０３からＨＤＤレコーダ２０４へのコネクション確立に失敗した場合や、ＨＤＤレコーダ２０４から受信局２０１へ映像データを伝送中に送受局２０３とＨＤＤレコーダ２０４との間の通信が切断された場合等にも、各々、その旨を告げる報知情報を送受局２０３が送信局２０２を介して受信局２０１に対して送信することも可能である。
【０１８３】
また、本実施の形態では、送受局２０３が送信局２０２を介して受信局２０１に対して報知情報を送信する場合について説明したが、本発明はこれに限定されるものではなく、たとえば、送受局２０３が送信局２０２に対して、受信局２０１にはＨＤＤレコーダ２０４の制御権が存在しない旨の情報を送信し、送信局２０２から受信局２０１に対して報知情報を送信することも可能である。
【０１８４】
また、本実施の形態では、確保済みの通信リソースを利用して報知情報を送信する例について記したが、報知情報送信直前に通信リソースを確保しても良いし、通信リソースの確保が不要な方法で報知情報を送信しても良い。
【０１８５】
また、実施の形態５および６では、視聴する映像データを保持する機器としてＨＤＤレコーダ２０４を用いた構成について説明したが、本発明はこれに限定されるものではなく、たとえば、ビデオ、ＤＶＤ、テレビチューナなどにも適用することが可能である。
【０１８６】
また、実施の形態５および６では、リモートのＩＥＥＥ１３９４機器からローカルのＩＥＥＥ１３９４機器へ映像データを伝送するデータ伝送システムの例について記したが、本発明はこれに限定されるものではなく、たとえば、ラジオ、カセットプレーヤ、ＣＤプレーヤなどのオーディオ機器の音声データを伝送するデータ伝送システムにも適用することが可能である。
【０１８７】
更に、実施の形態５および６において無線とＩＥＥＥ１３９４機器との組み合わせについて説明したが、本発明はこれに限定されるものではない。
【０１８８】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的手段に含まれる。
【０１８９】
【発明の効果】
本発明の送信局は、以上のように、データ伝送に関する指示操作を行うことを含めて受信局によって行われる通信接続動作に応じて所定状態が発生したことを、対応する事象の発生として検出する状態検出手段と、上記状態検出手段によって検出された上記所定状態の発生を、上記受信局が上記データを視聴することができるように出力するときに、上記通信路における通信状態の良否を判別することができる状態で上記データとともにユーザに報知することができるように、上記所定状態が発生したことを示す報知情報を上記受信局に送信する送信手段とを備えている。
【０１９０】
上記の発明によれば、受信局で送信局に対する所定の通信接続動作が行われ、それに応じて所定状態が発生すると、送信局において、状態検出手段はその所定状態を、送信局での対応する事象の発生として検出する。
【０１９１】
そして、所定状態が発生したことを示す報知情報は、送信手段によって受信局に送信される。このとき、送信手段は、受信局によるデータの出力時に、通信路における通信状態の良否を判別することができる状態でデータとともに所定状態の発生をユーザに報知することができるように報知情報を受信局に送信する。報知情報を受信した受信局は、データを出力するときに併せて報知情報を出力することができる。
【０１９２】
これにより、受信局が特別な検出手段や報知手段を備えていなくても、ユーザは所定状態が発生したことを、少なくとも通信路における通信状態の良否を判別しながら認識することができる。
【０１９３】
したがって、例えば通信路の品質が劣化した通信状態となることにより所定状態が発生したのではなく、通信状態は良好であって受信局からの通信接続動作に応じて所定状態が発生したことを、ユーザは正確に認識することができる。
【０１９４】
以上により、受信局に特別な検出手段や報知手段を具備することなく、低コストで受信局においてユーザが常に正確なシステムの状態を認識することのできる送信局を提供することができるという効果を併せて奏する。
【０１９５】
上記送信局は、上記報知情報を上記データに合成する合成手段を更に備え、上記送信手段は、上記合成手段によって合成された合成内容を上記受信局に送信することが好ましい。
【０１９６】
この場合、合成手段は、所定状態が発生したことを示す報知情報を視聴用のデータに合成し、送信手段はその合成内容を送信する。このとき、合成手段は、通信路における通信状態の良否を判別することができる状態でデータと所定状態の発生をユーザに報知する報知情報とを受信局が出力できるように合成する。
【０１９７】
例えば、動画が一時停止したことを報知することができるように、表示データに一時停止であることが分かるような動画表示データや音声データを付加する。したがって、合成内容を受信した受信局は、データを出力するとき、動画の一時停止が行われていることなどの報知情報を併せて出力することができる。
【０１９８】
上記送信局において、上記状態検出手段は、上記データ源との通信路のリソースを確保できたか否かを検出し、上記リソースを確保できなかったことを検出した場合にその旨を示す報知情報を上記送信手段を介して上記受信局に送信すると共に、上記リソースを確保できたことを検出した場合に上記データ源にコネクション確立を要求することが好ましい。
【０１９９】
上記送信局によれば、上記データ源との通信路のリソースを確保できなかったことが状態検出手段によって検出された場合、その旨を示す報知情報が上記送信手段を介して上記受信局に送信される。これにより、受信局において、ユーザは、データ源との通信路のリソースを確保できなかったことを認識し、送信局と受信局との接続解除処理を行い、両局間で確立されているコネクションを切断することができるという効果を併せて奏する。なお、上記リソースを確保できたことが状態検出手段によって検出された場合、上記データ源にコネクション確立が要求される。
【０２００】
上記状態検出手段は、上記データ源にコネクション確立を要求した場合、上記データ源からコネクション確立完了の通知を受信したか否かを検出し、上記通知を受信した場合にはコネクション確立を完了すると共に、上記通知を受信できなかった場合にはコネクション確立に失敗した旨の報知情報を上記送信手段を介して上記受信局に送信することが好ましい。
【０２０１】
この場合、状態検出手段は、上記データ源からコネクション確立完了の通知を受信したか否かを検出する。状態検出手段が上記通知を受信した場合、送信局とデータ源との間のコネクション確立が完了する。
【０２０２】
これに対して、状態検出手段がデータ源からコネクション確立完了の通知を受信できなかった場合、その旨を示す報知情報が上記送信手段を介して上記受信局に送信される。これにより、受信局において、ユーザは、データ源とのコネクションの確立に失敗したことを認識し、送信局と受信局との接続解除処理を行い、両局間で確立されているコネクションを切断することができるという効果を併せて奏する。
【０２０３】
本発明に係るデータ源は、以上のように、通信路及び送信局を介して受信局から受信したデータ伝送に関する指示操作のコマンド情報に基づいて、上記受信局が上記データ源への制御権を有しているか否かを判断し、制御権を有している場合には上記コマンドに応じて上記データを上記通信路及び上記送信局を介して上記受信局に送信すると共に、上記制御権を有していない場合には上記データ源への制御権を有していない旨を示す報知情報を上記通信路及び上記送信局を介して上記受信局に送信する状態検出手段を備えている。
【０２０４】
上記の発明によれば、状態検出手段は、通信路及び送信局を介して受信局から受信したデータ伝送に関する指示操作のコマンド情報に基づいて、上記受信局が上記データ源への制御権を有しているか否かを判断する。
【０２０５】
制御権を有していると状態検出手段によって判断された場合、上記コマンドに応じて視聴用のデータが通信路及び送信局を介して上記受信局に送信される。
【０２０６】
これに対して、制御権を有していないと状態検出手段によって判断された場合、当該受信局が上記データ源への制御権を有していない旨を示す報知情報が上記通信路及び上記送信局を介して上記受信局に送信される。これにより、受信局において、ユーザは、データ源への制御権を有していないことを認識し、送信局と受信局との接続解除処理を行い、両局間で確立されているコネクションを切断することができるという効果を併せて奏する。
【０２０７】
上記報知情報は、上記送信局との間で確保された通信リソースを介して上記受信局に送信されることが好ましい。この場合、既に確保済の通信リソースを用いるので、別途、通信リソースを設けることが不要となり、構成及びソフトウェアを簡素化できるという効果を併せて奏する。
【０２０８】
上記報知情報は、報知すべき情報を送信する理由を文字、絵、音声、動画などユーザが認識できる形態を有していることが好ましい。この場合、ユーザは、即座に且つ正確に報知されてきた情報の内容を認識できるという効果を併せて奏する。
【０２０９】
本発明に係るデータ伝送方法は、以上のように、データ伝送に関する指示操作を行うことを含めて受信局によって行われる通信接続動作に応じて所定状態が発生したことを、対応する事象の発生として検出する工程と、検出した上記所定状態の発生を、上記受信局が上記データを視聴することができるように出力するときに、上記通信路における通信状態の良否を判別することができる状態で上記データとともにユーザに報知することができるように、上記所定状態が発生したことを示す報知情報を上記送信局から上記受信局に送信する工程と備えている。
【０２１０】
上記の発明によれば、受信局で送信局に対する所定の通信接続動作が行われ、それに応じて所定状態が発生すると、送信局において、その所定状態を、送信局での対応する事象の発生として検出する。
【０２１１】
そして、所定状態が発生したことを示す報知情報は、受信局に送信される。このとき、受信局によるデータの出力時に、通信路における通信状態の良否を判別することができる状態でデータとともに所定状態の発生をユーザに報知することができるように報知情報を受信局に送信する。報知情報を受信した受信局は、データを出力するときに併せて報知情報を出力することができる。
【０２１２】
これにより、受信局が特別な検出手段や報知手段を備えていなくても、ユーザは所定状態が発生したことを、少なくとも通信路における通信状態の良否を判別しながら認識することができる。
【０２１３】
したがって、例えば通信路の品質が劣化した通信状態となることにより所定状態が発生したのではなく、通信状態は良好であって受信局からの通信接続動作に応じて所定状態が発生したことを、ユーザは正確に認識することができる。
【０２１４】
以上により、受信局に特別な検出手段や報知手段を具備することなく、低コストで受信局においてユーザが常に正確なシステムの状態を認識することのできるデータ伝送方法を提供することができるという効果を併せて奏する。
【０２１５】
上記報知情報を上記データに合成する工程を更に備え、合成した内容を上記受信局に送信することが好ましい。
【０２１６】
この場合、所定状態が発生したことを示す報知情報は視聴用のデータに合成され、その合成内容が受信局に送信される。このとき、通信路における通信状態の良否を判別することができる状態でデータと所定状態の発生をユーザに報知する報知情報とを受信局が出力できるように合成される。
【０２１７】
例えば、動画が一時停止したことを報知することができるように、表示データに一時停止であることが分かるような動画表示データや音声データを付加する。したがって、合成内容を受信した受信局は、データを出力するとき、動画の一時停止が行われていることなどの報知情報を併せて出力することができる。
【０２１８】
上記データ源との通信路のリソースを確保できたか否かを検出し、上記リソースを確保できなかったことを検出した場合にその旨を示す報知情報を上記送信手段を介して上記受信局に送信すると共に、上記リソースを確保できたことを検出した場合に上記データ源にコネクション確立を要求する工程を更に備えていることが好ましい。
【０２１９】
上記データ伝送方法によれば、上記データ源との通信路のリソースを確保できなかったことが検出された場合、その旨を示す報知情報が上記受信局に送信される。これにより、受信局において、ユーザは、データ源との通信路のリソースを確保できなかったことを認識し、送信局と受信局との接続解除処理を行い、両局間で確立されているコネクションを切断することができるという効果を併せて奏する。なお、これに対して、上記リソースを確保できたことが検出された場合、上記データ源にコネクション確立が要求される。
【０２２０】
上記データ源にコネクション確立を要求した場合、上記データ源からコネクション確立完了の通知を上記送信局が受信したか否かを検出し、上記通知を受信した場合にはコネクション確立を完了すると共に、上記通知を受信できなかった場合にはコネクション確立に失敗した旨の報知情報を上記受信局に送信する工程を備えていることが好ましい。
【０２２１】
この場合、上記データ源からコネクション確立完了の通知を送信局が受信したか否かが検出される。上記通知を受信した場合、送信局とデータ源との間のコネクション確立が完了する。
【０２２２】
これに対して、データ源からコネクション確立完了の通知を送信局が受信できなかった場合、その旨を示す報知情報が上記受信局に送信される。これにより、受信局において、ユーザは、送信局とデータ源とのコネクションの確立に失敗したことを認識し、送信局と受信局との接続解除処理を行い、両局間で確立されているコネクションを切断することができるという効果を併せて奏する。
【０２２３】
本発明の他のデータ伝送方法は、以上のように、通信路及び送信局を介して受信局から受信したデータ伝送に関する指示操作のコマンド情報に基づいて、上記受信局が上記データ源への制御権を有しているか否かを判断し、制御権を有している場合には上記コマンドに応じて上記データを上記通信路及び上記送信局を介して上記受信局に送信すると共に、上記制御権を有していない場合には上記データ源への制御権を有していない旨を示す報知情報を上記通信路及び上記送信局を介して上記受信局に送信する工程を備えている。
【０２２４】
上記の発明によれば、通信路及び送信局を介して受信局から受信したデータ伝送に関する指示操作のコマンド情報に基づいて、上記受信局が上記データ源への制御権を有しているか否かが判断される。
【０２２５】
制御権を有していると判断された場合、上記コマンドに応じて視聴用のデータが通信路及び送信局を介して上記受信局に送信される。
【０２２６】
これに対して、制御権を有していないと判断された場合、当該受信局が上記データ源への制御権を有していない旨を示す報知情報が上記通信路及び上記送信局を介して上記受信局に送信される。これにより、受信局において、ユーザは、データ源への制御権を有していないことを認識し、送信局と受信局との接続解除処理を行い、両局間で確立されているコネクションを切断することができるという効果を併せて奏する。
【０２２７】
本発明のデータ伝送システムは、以上のように、上記送信局は、所定の上記通信接続動作に応じてシステムに所定状態が発生したことを、上記送信局での対応する事象の発生として検出する状態検出手段と、上記状態検出手段によって検出された上記所定状態の発生を、上記受信局による上記データの出力時に、上記通信路における通信状態の良否を判別することができる状態で上記データとともにユーザに報知することができるように、上記所定状態が発生したことを示す報知情報を上記データに合成する合成手段と、上記合成手段によって生成された合成内容を上記受信局に送信する送信手段とを備えている構成である。
【０２２８】
それゆえ、受信局が特別な検出手段や報知手段を備えていなくても、ユーザはシステムに所定状態が発生したことを、少なくとも通信路における通信状態の良否を判別しながら認識することができる。従って、例えば通信路の品質が劣化した通信状態となることにより動画が静止画のようになっているのではなく、通信状態は良好であって受信局から一時停止の指示操作が行われて動画が一時停止しているといったことや、ネットワークに新たに接続された受信局およびネットワークから離脱した受信局などを、ユーザは正確に認識することができる。
【０２２９】
以上により、受信局に特別な検出手段や報知手段を具備することなく、低コストで全ての受信局においてユーザが常に正確なシステムの状態を認識することのできるデータ伝送システムを提供することができる。
【０２３０】
さらに本発明のデータ伝送システムは、以上のように、上記状態検出手段は、上記受信局において行われた所定の上記指示操作の内容を上記送信局が受信したことを上記事象の発生として、上記所定状態が発生したことを検出する構成である。
【０２３１】
それゆえ、所定状態の発生を検出するためのデータ源から送信局に対するインタフェースの数を抑制することができるという効果を奏する。
【０２３２】
さらに本発明のデータ伝送システムは、以上のように、上記状態検出手段は、上記受信局において行われた所定の上記指示操作に応じたデータ源の機器の動作状態についての情報を、上記送信局が上記データ源から受け取って認識することを、上記事象の発生として、上記所定状態が発生したことを検出する構成である。
【０２３３】
それゆえ、所定状態を直接検出することとなり、事象の発生から所定状態の発生を検出するための処理機構が不要となり、送信局の構成を簡略化することができるという効果を奏する。
【０２３４】
さらに本発明のデータ伝送システムは、以上のように、上記状態検出手段は、上記受信局において行われた所定の上記指示操作に応じたデータ源のデータ状態を上記送信局が認識することを上記事象の発生として、上記所定状態が発生したことを検出する構成である。
【０２３５】
それゆえ、所定状態を直接検出することとなり、事象の発生から所定状態の発生を検出するための処理機構が不要となり、送信局の構成を簡略化することができるという効果を奏する。また、所定状態の発生を検出するためのデータ源から送信局に対するインタフェースの数を抑制することができるという効果を奏する。
【０２３６】
さらに本発明のデータ伝送システムは、以上のように、上記通信路が無線通信路である構成である。
【０２３７】
それゆえ、無線通信路という、通信状態が不安定な通信路においても、ユーザはシステムに所定状態が発生したことを認識することができるという効果を奏する。
【０２３８】
さらに本発明のデータ伝送システムは、以上のように、上記報知情報に動画を用いる構成である。
【０２３９】
それゆえ、静止画のような状態でデータが出力されているときに、通信状態は良好であって動画の一時停止が行われているのか、あるいは通信路環境の変化などにより通信路の品質が劣化した通信状態となることによって通信が途切れたのか、さらには動画の一時停止中に通信路の品質が劣化した通信状態となっているのかということを容易に区別することができるという効果を奏する。
【０２４０】
さらに本発明のデータ伝送システムは、以上のように、上記報知情報に音声を用いる構成である。
【０２４１】
それゆえ、静止画のような状態でデータが出力されているときに、通信状態は良好であって動画の一時停止が行われているのか、あるいは通信路環境の変化などにより通信路の品質が劣化した通信状態となることによって通信が途切れたのか、さらには動画の一時停止中に通信路の品質が劣化した通信状態となっているのかということを容易に区別することができるという効果を奏する。
【０２４２】
さらに本発明のデータ伝送システムは、以上のように、上記報知情報に文字を用いる構成である。
【０２４３】
それゆえ、受信局側に動画や音声を表示・再生する機構がなくても文字情報を表示する機構が存在すれば、ユーザはシステムの状態を正確に認識することができるという効果を奏する。
【０２４４】
さらに本発明のデータ伝送システムは、以上のように、１つの上記送信局と複数の上記受信局とを備えている構成である。
【０２４５】
それゆえ、同報通信を行う場合でも、全ての受信局においてシステムの状態を正確に認識することができるという効果を奏する。
【０２４６】
さらに本発明のデータ伝送システムは、以上のように、上記合成手段による合成を行うか否かが設定可能である構成である。
【０２４７】
それゆえ、システムの状態を報知する必要性の大小に応じて、合成を行うか否かを切り替えることができるという効果を奏する。
【０２４８】
さらに本発明のデータ伝送システムは、以上のように、上記合成手段による合成を行うか否かについて、上記受信局から上記送信局に設定変更を要求することが可能である構成である。
【０２４９】
それゆえ、システムの状態を報知する必要性の大小に応じて、合成を行うか否かの設定を受信局から行うことができるという効果を奏する。
【０２５０】
さらに本発明のデータ伝送システムは、以上のように、上記合成手段による合成を行うか否かについての上記受信局からの設定変更要求を、上記送信局において受け付けるかどうかが選択可能である構成である。
【０２５１】
それゆえ、システムの状態を報知する必要性の大小に応じて、合成を行うか否かについての受信局からの設定を、送信局において受け付けるか否かを決定することができるという効果を奏する。
【図面の簡単な説明】
【図１】本発明の第１の実施の形態におけるデータ伝送システムの構成を示すブロック図である。
【図２】図１のデータ伝送システムにおける一時停止動作および一時停止解除動作を説明するフローチャートである。
【図３】本発明の第２の実施の形態におけるデータ伝送システムの送信局の構成を示すブロック図である。
【図４】本発明の第４の実施の形態におけるデータ伝送システムの構成を示すブロック図である。
【図５】本発明と従来技術との双方を説明するデータ伝送システムの構成を示すブロック図である。
【図６】本発明の第５の実施の形態における送信局の構成例を示すブロック図である。
【図７】上記図６の送信局の動作例を示すフローチャートである。
【図８】本発明の第６の実施の形態における映像源の構成例を示すブロック図である。
【図９】上記図８の映像源の動作例を示すフローチャートである。
【図１０】従来のデータ伝送システムの映像受信端末の構成を示すブロック図である。
【符号の説明】
１　　　　送信局
１’　　　送信局
２　　　　映像源（データ源）
２’　　　映像源（データ源）
３　　　　受信局
４　　　　無線通信路（通信路）
５　　　　音源（データ源）
１０　　　送信部（送信手段）
１６　　　重畳部
１８　　　操作コマンド受信処理部（状態検出手段）
２０　　　報知情報生成部
２０’　　報知情報生成部（状態検出手段）
２６　　　合成部（合成手段）
２６’　　合成部（合成手段）
５１　　　無線映像伝送システム（データ伝送システム）
６１　　　無線音声伝送システム（データ伝送システム）
２０６　　映像源（データ源）
２６５　　操作コマンド管理部（状態検出手段）
２６８　　コネクション確立制御部（状態検出手段）
【図１】
2004080729.tif 000003
【図２】
2004080729.tif 000004
【図３】
2004080729.tif 000005
【図４】
2004080729.tif 000006
【図５】
2004080729.tif 000007
【図６】
2004080729.tif 000008
【図７】
2004080729.tif 000009
【図８】
2004080729.tif 000010
【図９】
2004080729.tif 000011
【図１０】
2004080729.tif 000012